(57)【要約】【課題】本発明は銃の複合型安全装置に関し、元折れ式猟銃の保管時等の安全を確保するために、薬室に挿入されて弾の薬室への装填を阻止するチャンバーロック機能と、撃針による打撃等の衝撃を緩衝するスナップキャップ機能との二つの機能を発揮する。【解決手段】チャンバーロック機構部Ａが、治具３の係合部４が係脱する係合凹部５を一側内部に設けたロックケース６と、該ロックケース内のスライドシャフト収容孔７内に主スプリング８の付勢力に抗して押し込み可能にスライダー１１を先端に有するスライドシャフト９と、他端側の外周、対向面にスライドシャフトの押し込み操作と復帰操作に連繋して拡張・縮小手段１０を介して半径方向Ｒに拡張可能、縮小可能に薬室に圧接可能な圧接管１２と、で形成され、スナップキャップ機構部Ｂが、ロックケースの一端側に臨まれ、クッション材１４が装着されたニップル１５を押し込み可能に設けた。【選択図】図１
2009156506.tif 000002
【特許請求の範囲】
【請求項１】
銃身の薬室に挿脱可能に挿入されて弾の薬室への装填を阻止するチャンバーロック機構部と、銃身の撃針による打撃等の衝撃を緩衝するスナップキャップ機構部とを備え、
前記チャンバーロック機構部が、
治具の先端に設けた係合部が係脱可能となる係合凹部が一側の内部に設けられたロックケースと、
該ロックケース内に貫通されたスライドシャフト収容孔内に主スプリングの付勢力に抗して押し込み可能に設けられたスライドシャフトと、
該スライドシャフトの先端に取付けられるスライダーと、
前記ロックケースの他端側の外周と該スライダーの外周との間に前記スライドシャフトの押し込み操作、および、復帰操作に連繋して拡張・縮小手段を介して半径方向に拡張可能、且つ縮小可能に薬室の内壁に圧接可能に設けられる圧接管と、で形成され、
前記スナップキャップ機構部が、
前記スライドシャフト収容孔に隣接して前記ロックケースの一端側に設けられたニップル収容孔内にニップルを治具により押込可能に収容させるとともに、該ニップルが前記スライドシャフトを押込可能に設けられ、前記ニップルには前記ロックケースの一端側に臨まれ、露出側の外端にクッション材が装着された、
ことを特徴とする銃の複合型安全装置。
【請求項２】
前記拡張・縮小手段が、前記ロックケースの他側端に主スプリングの付勢力により接離自在とされる前記スライダー、および該スライダーが対向する前記ロックケースの外周、対向面に、次第に対向方向に小径に形成されたテーパ斜面部と、該テーパ斜面部相互にテーパ内面部が密接可能に外嵌されて前記薬室の内壁面に外周面が圧接可能に設けられた鋼よりも硬度が低く摩擦抵抗が大きい材料によりなる前記圧接管と、で形成されることを特徴とする請求項１に記載の銃の複合型安全装置。
【請求項３】
前記スライドシヤフトが、前記スライダーに螺入される先端ねじ部と、基端部側には頭部とを設けたボルトであることを特徴とする請求項１または２に記載の銃の複合型安全装置。
【請求項４】
前記圧接管が、鋼材より硬度が低く、摩擦抵抗が大きい非鉄金属、または、合成樹脂により形成されていることを特徴とする請求項１−３の何れかの請求項に記載の銃の複合型安全装置。
【請求項５】
前記ニップルが、一端に前記クッション材が嵌着されるクッション収容凹部を有し、他端には前記主スプリングよりもばね付勢力が弱い副スプリングを介装する副スプリング収容凹部を有し、中間部には前記ニップル収容孔の内部一端に突設されたストッパ壁に前記
副スプリングの付勢力により弾性的に係脱可能にニップルピンが径方向に貫通されたことを特徴とする請求項１−４の何れかの請求項に記載の銃の複合型安全装置。
【請求項６】
前記係合部が前記ニップル収容孔の開口端よりも僅かに径小の係合鍔部であり、前記係合凹部が環状溝であることを特徴とする請求項１−５の何れかの請求項に記載の銃の複合型安全装置。
【発明の詳細な説明】
【技術分野】
【０００１】
本発明は銃の複合型安全装置に関し、例えば元折れ式猟銃の保管時等の安全を確保するために最適に適用され、薬室に挿脱可能に挿入されて弾の薬室への装填を阻止するチャンバーロック機能と、銃の撃針による打撃等の衝撃を緩衝するスナップキャップ機能との二つの機能を発揮する安全装置である。
【背景技術】
【０００２】
従来、銃の暴発等の外部衝撃に対する安全機構として、例えば、撃針の後部を筒体に形成し、該筒体の筒体壁から外側方に出没しうる係止爪を有するロック部材を該筒体壁の一部に揺動自在に軸止し、前記筒体内に限定範囲内で前後にのみ滑動可能な慣性柱体を挿嵌し、該慣性柱体の前端と該ロック部材との間に該慣性柱体を後方へ押圧すると共に該係止爪が没入する方向へ該ロック部材を付勢するばねを設け、該慣性柱体の後端面が該撃針の後端面より陥入した位置では該係止爪の没入を許容するロック部材支枕を該柱体の前端部に設けてあり、一方該撃針を収容する遊底に該撃針が後退位置にあるときに該係止爪と係合する係合凹部と係合するものがあり、常時は撃針が遊底に係止されて撃針が不用意に移動しないように拘束され、また、撃鉄が正規に撃針の後端を打撃した場合にのみ係止が外れる機構を撃針の後部に設けるものがあった（例えば、特許文献１参照）。
【特許文献１】特開昭６２−７３０９８号公報
【発明の開示】
【発明が解決しようとする課題】
【０００３】
ところで、特許文献１に記載の上記従来の銃の暴発等の外部衝撃に対する安全機構は、
銃を落下させた場合等に、撃針を遊底に係止させて撃針が不用意に移動するのを拘束することにより、暴発を防止しようとするものであるが、不使用時には、弾そのものの薬室内の装填につき制約を加えるものではなく、本人以外の者が引金を引いて撃鉄にて撃針の後端を打撃する場合を想定し、それらに起因する弾の撃発を未然に防止するものではなく、特に元折れ式猟銃の保管時等の安全性に改善の余地を残すものであった。
【０００４】
本発明は上記従来の問題点を解決し、元折れ式猟銃の保管時等に最適に適用され、弾の薬室への装填を阻止するチャンバーロック機能と、銃の撃針による打撃等の衝撃を緩衝するスナップキャップ機能との二つの機能を確実に発揮するようにして信頼性を高め、取扱い操作が簡単であり、構造が簡単で製作、組立も容易に多量に製作が可能であり、製作コストを安価にすることを目的とする。
【課題を解決するための手段】
【０００５】
本発明は上記課題に鑑みてなされ請求項１に記載の発明は、
銃身の薬室に挿脱可能に挿入されて弾の薬室への装填を阻止するチャンバーロック機構部と、銃身の撃針による打撃等の衝撃を緩衝するスナップキャップ機構部とを備え、
前記チャンバーロック機構部が、
治具の先端に設けた係合部が係脱可能となる係合凹部が一側の内部に設けられたロックケースと、
該ロックケース内に貫通されたスライドシャフト収容孔内に主スプリングの付勢力に抗して押し込み可能に設けられたスライドシャフトと、
該スライドシャフトの先端に取付けられるスライダーと、
前記ロックケースの他端側の外周と該スライダーの外周との間に前記スライドシャフトの押し込み操作、および、復帰操作に連繋して拡張・縮小手段を介して半径方向に拡張可能、且つ縮小可能に薬室の内壁に圧接可能に設けられる圧接管と、で形成され、
前記スナップキャップ機構部が、
前記スライドシャフト収容孔に隣接して前記ロックケースの一端側に設けられたニップル収容孔内にニップルを治具により押込可能に収容させるとともに、該ニップルが前記スライドシャフトを押込可能に設けられ、前記ニップルには前記ロックケースの一端側に臨まれ、露出側の外端にクッション材が装着された、
ことを特徴とする。
【０００６】
また、本発明の請求項２に記載の発明は、請求項１において、前記拡張・縮小手段が、前記ロックケースの他側端に主スプリングの付勢力により接離自在とされる前記スライダー、および該スライダーが対向する前記ロックケースの外周、対向面に、次第に対向方向に小径に形成されたテーパ斜面部と、該テーパ斜面部相互にテーパ内面部が密接可能に外嵌されて前記薬室の内壁面に外周面が圧接可能に設けられた鋼よりも硬度が低く摩擦抵抗が大きい材料によりなる前記圧接管と、で形成されることを特徴とする。
【０００７】
また、本発明の請求項３に記載の発明は、請求項１または２において、前記スライドシヤフトが、前記スライダーに螺入される先端ねじ部と、基端側には頭部とを設けたボルトであることを特徴とする。
【０００８】
また、本発明の請求項４に記載の発明は、請求項１−３において、前記圧接管が、鋼材より硬度が低く、摩擦抵抗が大きい非鉄金属、または、合成樹脂により形成されていることを特徴とする。
【０００９】
また、本発明の請求項５に記載の発明は、請求項１−４において、前記ニップルが、一端に前記クッション材が嵌着されるクッション収容凹部を有し、他端には前記主スプリングよりもばね付勢力が弱い副スプリングを介装する副スプリング収容凹部を有し、中間部には前記ニップル収容孔の内部一端に突設されたストッパ壁に前記副スプリングの付勢力により弾性的に係脱可能にニップルピンが径方向に貫通されたことを特徴とする。
【００１０】
また、本発明の請求項６に記載の発明は、請求項１−５において、前記係合部が前記ニップル収容孔の開口端よりも僅かに径小の係合鍔部であり、前記係合凹部が環状溝であることを特徴とする。
【発明の効果】
【００１１】
本発明は上記課題に鑑みてなされ、請求項１に記載の発明によれば、銃身の薬室に挿脱可能に挿入されて弾の薬室への装填を阻止するチャンバーロック機構部と、銃身の撃針による打撃等の衝撃を緩衝するスナップキャップ機構部とを備え、前記チャンバーロック機構部が、治具の先端に設けた係合部が係脱可能となる係合凹部が一側の内部に設けられたロックケースと、該ロックケース内に貫通されたスライドシャフト収容孔内に主スプリングの付勢力に抗して押し込み可能に設けられたスライドシャフトと、該スライドシャフトの先端に取付けられるスライダーと、前記ロックケースの他端側の外周と該スライダーの外周との間に前記スライドシャフトの押し込み操作、および、復帰操作に連繋して拡張・縮小手段を介して半径方向に拡張可能、且つ縮小可能に薬室の内壁に圧接可能に設けられる圧接管と、で形成され、前記スナップキャップ機構部が、前記スライドシャフト収容孔に隣接して前記ロックケースの一端側に設けられたニップル収容孔内にニップルを治具により押込可能に収容させるとともに、該ニップルが前記スライドシャフトを押込可能に設けられ、前記ニップルには前記ロックケースの一端側に臨まれ、露出側の外端にクッション材が装着されたので、治具の先端に設けた係合部を略筒状のロックケースの一側の外端部付近に設けられた係合凹部内に係合すると、ロックケースのスライドシャフト収容孔内に基端部側が収容されているスライドシャフトは、主スプリングの付勢力に抗して押し込まれる。このように、スライドシャフトが押し込み操作されると、これに伴ってスライドシャフトの先端部に装着されたスライダーが、ロックケースの他端側の外周、対向面から離れる。そして、ロックケースの他端側の外周、対向面に設けられた圧接管は、拡張・縮小手段を介して半径方向に縮小される。従って、治具にてロックケースを支持し、薬室内にロックケースを挿入することができる。このようにして銃身の薬室内にロックケースが挿入された後に、治具の先端に設けた係合部をロックケースの係合凹部から脱係合すると、主スプリングの付勢力によりスライドシャフトがスライドシャフト収容孔内に旧位に引戻されるので、このスライドシャフトの先端部に設けられたスライダーがロックケースの他端側に接触する。このため、ロックケースの他端側の外周、対向面に設けられた圧接管が、拡張・縮小手段を介して半径方向に拡大されて薬室の内壁に密接するので、ロックケースは薬室内に固定される。従って、薬室内へ弾を装填しようとしてもロックケースが薬室内に固定されていることにより弾の装填は邪魔されて阻止されるというチャンバーロック機能が発揮される。また、空撃ち目的等で銃の引金を引いて撃鉄にて撃針の後端を打撃すると、スライドシャフト収容孔に隣接してロックケースの他端側に設けられたニップル収容孔内に、収容されたニップルには、ロックケースの一端側に臨まれ、露出側の外端にクッション材が装着されているので、撃針がクッション材を打撃するため、クッション材により衝撃は緩衝され、スナップキャップ機能が発揮される。このように、チャンバーロック機能と、スナップキャップ機能との二つの機能が発揮されるので、安全性は向上し、本人以外の者による弾の撃発を未然に防止することができ、特に元折れ式猟銃の保管時等の安全性を確保するのに最適に適用できる。しかも、上記のように、取扱い操作が簡単であり、しかも、構造が簡単で製作、組立も容易に多量に製作が可能であり、製作コストは安価になる。
【００１２】
また、本発明の請求項２に記載の発明によれば、請求項１において、前記拡張・縮小手段が、前記ロックケースの他側端に主スプリングの付勢力により接離自在とされる前記スライダー、および該スライダーが対向する前記ロックケースの外周、対向面に、次第に対向方向に小径に形成されたテーパ斜面部と、該テーパ斜面部相互にテーパ内面部が密接可能に外嵌されて前記薬室の内壁面に外周面が圧接可能に設けられた鋼よりも硬度が低く摩擦抵抗が大きい材料によりなる前記圧接管と、で形成されるので、治具の先端に設けた係合部を略筒状のロックケースの一側の外端部付近に設けられた係合凹部内に係合すると、ロックケースのスライドシャフト収容孔内に収容されたスライドシャフトは主スプリングの付勢力に抗して押し込まれる。このように、スライドシャフトが押し込み操作されると、これに伴ってスライドシャフトの先端部に装着されたスライダーが、ロックケースの他端側の外周、対向面から離れ、ロックケースの他端側の外周、対向面に外嵌された圧接管は、拡張・縮小手段としてスライダー、および該スライダーが対向するロックケースの外周、対向面に、次第に対向方向に小径に形成されたテーパ斜面部が、該テーパ斜面部相互にテーパ内面部が密接して摺動して行くため、半径方向に縮小される。従って、治具にてロックケースを支持し、薬室内にロックケースを挿入することができる。
【００１３】
このようにして薬室内にロックケースが挿入された後に、治具の先端に設けた係合部をロックケースの係合凹部から脱係合すると、主スプリングの付勢力によりスライドシャフトがスライドシャフト収容孔内に旧位に引戻されるので、このスライドシャフトの先端部に設けられたスライダーがロックケースの他端側に移動して接触する。このため、スライダーとロックケースの他端側の外周、対向面とに外嵌された圧接管が、拡張・縮小手段としてスライダー、および該スライダーが対向するロックケースの外周、対向面に、次第に対向方向に小径に形成されているテーパ斜面部は、該テーパ斜面部相互にテーパ内面部が密接して摺動して行くため、半径方向に拡大されて薬室の内壁に密接され、ロックケースは薬室内に固定される。従って、薬室内へ弾を装填しようとしてもロックケースが薬室内に固定されていることにより弾の装填は邪魔されて阻止できるというチャンバーロック機能が発揮される。また、空撃ち目的等で引金を引いて撃鉄にて撃針の後端を打撃する場合に、スナップキャップ機構部が、スライドシャフト収容孔に隣接してロックケースの一他端側に設けられたニップル収容孔内に、収容されたニップルには、ロックケースの一端側に臨まれ、露出側の外端にクッション材が装着されているので、撃針がクッション材を打撃するため、クッション材により衝撃は緩衝され、スナップキャップ機能が発揮される。このように、チャンバーロック機能と、スナップキャップ機能との二つの機能が発揮されるので、安全性は向上され、本人以外の者による弾の撃発を未然に防止でき、特に元折れ式猟銃の保管時等の安全性が最適に適用できる。しかも、上記のように、取扱い操作が簡単であり、構造が簡単で製作、組立も容易になり、多量に製作が可能であり、製作コストは安価になる。
【００１４】
また、本発明の請求項３に記載の発明によれば、請求項１または２において、前記スライドシヤフトが、前記スライダーに螺入される先端ねじ部と、基端側には頭部とを設けたボルトであるので、スライドシャフトをロックケースに設けたスライドシャフト収容孔内に摺動可能に基端側を容易に組み込むことができるとともに、スライドシャフトの先端部にスライダーを取付け、スライダー、および該スライダーが対向するロックケースの外周、対向面に跨がるように圧接管を外嵌させることができ、製作および組付けは容易になる。
【００１５】
また、本発明の請求項４に記載の発明によれば、請求項１−３において、前記圧接管が、鋼材より硬度が低く、摩擦抵抗が大きい非鉄金属、または、合成樹脂により形成されているので、銃の薬室内にロックケースを挿入後に、治具の先端に設けた係合部をロックケースの係合凹部に係合すると、治具によりニップルを介して主スプリングの付勢力に抗してスライドシャフトは押し込まれる。そして、このスライドシャフトの先端に取付けられているスライダーは、ロックケースの他端側の対向端から離れ、間隔があく。このように、スライダーが、ロックケースの他端側の対向端から離れ、間隔があくのに伴って、スライダー、および該スライダーが対向するロックケースの外周、対向面に、跨るように外嵌された圧接管のテーパ内面部に、圧接管が外嵌されているスライダー、およびロックケースの外周、対向面に次第に対向方向に小径に形成されているテーパ斜面部が密接して摺動されて行くので、圧接管は半径方向に縮小され、薬室の内壁に傷付けることなく、ロックケースを薬室内に挿入することができる。
【００１６】
そして、ロックケースの挿入後に、治具の先端に設けた係合部をロックケースの一側の外端部付近に設けられた係合凹部内から脱係すると、主スプリングの付勢力によりスライドシャフトがロックケース内のスライドシャフト収容孔内に旧位に引戻されるので、スライドシャフトの先端部に設けられたスライダーがロックケースの他端側に接触する。このため、スライダーと、ロックケースの他端側との外周、対向面に外嵌されている圧接管のテーパ内面部に、圧接管が外嵌されているスライダー、およびロックケースの外周、対向面に次第に対向方向に小径に形成されているテーパ斜面部が、ロックケースにスライダーが接近するのに応じて密接して摺動されて行くので、圧接管は半径方向に拡大され、薬室の内壁に大きな摩擦抵抗にて係合するため、ロックケースは薬室内に強固に固定される。
【００１７】
また、本発明の請求項５に記載の発明によれば、請求項１−４において、前記ニップルが、一端に前記クッション材が嵌着されるクッション収容凹部を有し、他端には前記主スプリングよりもばね付勢力が弱い副スプリングを介装する副スプリング収容凹部を有し、中間部には前記ニップル収容孔の内部一端に突設されたストッパ壁に前記副スプリングの付勢力により弾性的に係脱可能にニップルピンが径方向に貫通されたので、空撃ち目的等で引金を引いて撃鉄にて撃針の後端を打撃すると、ロックケースの一端側に設けられたニップル収容孔内に、収容されているニップルには、ロックケースの一端側に臨まれ、露出側の外端に装着されたクッション材を撃針が打撃するため、クッション材により衝撃は緩衝されるとともに、副スプリングの緩衝も加わり、スナップキャップ機能が確実に発揮される。
【００１８】
また、本発明の請求項６に記載の発明によれば、請求項１−５において、前記係合部が前記ニップル収容孔の開口端よりも僅かに径小の係合鍔部であり、前記係合凹部が環状溝であるので、治具を使用してロックケースを薬室内に挿入したり、ロックケースを薬室から抜き取る場合、ロックケースに対する治具の係脱操作を簡単な取り扱いにより迅速かつ確実に行える。
【発明を実施するための最良の形態】
【００１９】
以下、図面に従って本発明を実施するための最良の形態ににつき、詳細に説明する。
【００２０】
図１は本発明の銃の複合型安全装置を単発銃に適用した場合の一実施形態を示し、治具にて銃の薬室内に挿入する状態の断面図、図２は同じく使用前の状態を示す断面図、図３は同じく撃針にて緩衝部材を打撃する状態を示す断面図、図４は同じく図３の楕円Ｐ内を示す拡大断面図、図５は同じく側面図、図６は同じく正面図である。
【００２１】
本実施形態は、銃身１の薬室１ａに挿脱可能に挿入されて弾の薬室１ａへの装填を阻止するチャンバーロック機構部Ａと、銃身１の撃針２による打撃等の衝撃を緩衝するスナップキャップ機構部Ｂとを備え、前記チャンバーロック機構部Ａが、治具３の先端に設けた係合部４が係脱可能となる係合凹部５が一側の内部に設けられたロックケース６と、該ロックケース６内に貫通されたスライドシャフト収容孔７内に主スプリング８の付勢力に抗して押し込み可能に設けられたスライドシャフト９と、該スライドシャフト９の先端に取付けられるスライダー１１と、前記ロックケース６の他端側の外周と該スライダー１１の外周との間に前記スライドシャフト９の押し込み操作、および、復帰操作に連繋して拡張・縮小手段１０を介して半径方向Ｒに拡張可能、且つ縮小可能に薬室１ａの内壁に圧接可能に設けられる圧接管１２と、で形成され、前記スナップキャップ機構部Ｂが、前記スライドシャフト収容孔７に隣接して前記ロックケース６の一端側に設けられたニップル収容孔１３内にニップル１５を治具３により押込可能に収容させるとともに、該ニップル１５が前記スライドシャフト９を押込可能に設けられ、前記ニップル１５には前記ロックケース６の一端側に臨まれ、露出側の外端にクッション材１４が装着された、ことを特徴とする。
【００２２】
銃身１は本実施形態１では、元折れ式猟銃が最適に使用される。この元折れ式猟銃としては、図１乃至図６に示すような単発銃や図７および図８に示すような二連銃がある。
【００２３】
前記係合部４が前記ニップル収容孔１３の開口端よりも僅かに径小の係合鍔部４ａであり、前記係合凹部５が環状溝５ａである。
【００２４】
６ａは前記ロックケース６の外周の一部、図６では上部に設けられたリム部であり、このリム部６ａはロックケース６を薬室１ａ内に挿入した場合に、薬室１ａの開口端に係合し、それ以上の押し込みが阻止するためのものであり、ロックケース６の挿入に際しては銃身１に設けられたエキストラクター１６に当たらないことを確認してロックケース６を挿入する。
【００２５】
前記拡張・縮小手段１０が、前記ロックケース６の他側端に主スプリング８の付勢力により接離自在に前記スライダー１１と、該スライダー１１が対向する前記ロックケース６との外周、対向面に、次第に対向方向に小径に形成されたテーパ斜面部１９ａ,１９ｂと、該テーパ斜面部１９ａ,１９ｂにテーパ内面部２０ａ,２０ｂが密接可能に外嵌されて前記薬室１ａの内壁面に外周面１２ａが圧接可能に設けられた鋼よりも硬度が低く摩擦抵抗が大きい材料によりなる前記圧接管１２と、で形成される。
【００２６】
前記スライドシヤフト９が、前記スライダー１１に螺入される先端ねじ部９ａと、基端側には頭部９ｂとを設けたボルトである。このように、スライドシヤフト９が、ボルトであるので、スライドシャフト９をロックケース６に設けたスライドシャフト収容孔７内に摺動可能に基端側を容易に組み込むことができるとともに、スライドシャフト９の先端ねじ部９ａにスライダー１１を取付け、スライダー１１、および該スライダー１１が対向するロックケース６の外周、対向面に跨がるように圧接管１２を容易に外嵌させることができ、製作および組付けは容易になる。
【００２７】
また、前記圧接管１２が、鋼材より硬度が低く、摩擦抵抗が大きい非鉄金属、または、合成樹脂により形成される。このように、圧接管１２を鋼材より硬度が低く、摩擦抵抗が大きい非鉄金属、または、合成樹脂により形成したのは、圧接管６を縮小させてロックケース６を薬室１ａ内に挿入したり、抜き取る場合に、薬室１ａ内に傷が付くのを防止するとともに、ロックケース６を薬室１ａ内に固定する場合に大きな摩擦抵抗力により固定を強固にするためである。
【００２８】
また、前記ニップル１５が、一端に前記クッション材１４が嵌着されるクッション収容凹部１５ａを有し、他端には前記主スプリング８よりもばね付勢力が弱い副スプリング２２を介装する副スプリング収容凹部１５ｂを有し、中間部には前記ニップル収容孔１３の内部一端に突設されたストッパ壁２３に前記副スプリング２２の付勢力により弾性的に係脱可能にニップルピン２４が径方向に貫通されている。前記クッション材１４は、例えばポリウレタン、硬質ゴム等のクッション性が大きい素材により形成される。
【００２９】
本発明の銃の複合型安全装置の一実施形態は以上の構成からなり、この複合型安全装置を使用するのには、専用の治具３を用いて例えば図１乃至図７に示すような単発銃や図７および図８に示すような二連銃よりなる元折れ式猟銃の保管時に、銃の薬室１ａ内に押し込んで固定する。
【００３０】
すなわち、先ず、治具３の先端に設けた係合部４を略筒状のロックケース６の一側の内部に設けられた係合凹部５内に係合する。これには、前記係合部４がニップル収容孔１３の開口端よりも僅かに径小の係合鍔部４ａであるので、ニップル収容孔１３の開口端内に係合鍔部４ａを挿入し、径方向に変位することにより、係合部４を係合凹部５内に係合させ、治具３の先端にロックケース６は支持される。この際、係合凹部５は環状溝５ａであるので、開口の周囲何れの方向に係合鍔部４ａを変位しても、容易に係合鍔部４ａを係合凹部５内に容易かつ確実に変位することができる。
【００３１】
このように、係合部４を係合凹部５内に係合させることによって係合部４にてニップル１５をニップル収容孔１３内に押し込むと、この押込まれた係合部４を介してロックケース６のスライドシャフト収容孔７内に収容されているスライドシャフト９は主スプリング８の付勢力に抗してさらに押し込まれる。
【００３２】
このように、スライドシャフト９がスライドシャフト収容孔７内に押し込み操作されると、これに伴ってスライドシャフト９の先端部に取付けられたスライダー１１が、ロックケース６の他端面から軸長方向へ離れ、間隙Ｋ１が確保されるので、ロックケース６の他端側の外周と、ロックケース６に対向するスライダー１１との外周に外嵌された圧接管１２は、拡張・縮小手段１０としてスライダー１１、および該スライダー１１が対向するロックケース６の外周、対向面に、次第に対向方向に小径に形成されたテーパ斜面部１９ａ,１９ｂが、圧接管１２のテーパ内面部２０ａ,２０ｂに密接して摺動して行くため、半径方向Ｒに縮小される。従って、治具３にて支持されたロックケース６を薬室１ａ内に挿入することができる（図１参照）。
【００３３】
このようにして銃身１の薬室１ａ内にロックケース６が挿入された後に、治具３の先端に設けた係合部４を径方向に変位することによってロックケース６の係合凹部５から脱係合すると、主スプリング８の付勢力によりスライドシャフト９がロックケース６内のスライドシャフト収容孔７内に旧位に引戻されようとするので、このスライドシャフト９の先端ねじ部９ａに螺着して取付けられたスライダー１１がロックケース６の他端側に対向して移動し、間隙Ｋ２は狭まる。このため、スライダー１１とロックケース６の他端側の外周との間に外嵌された圧接管１２が、拡張・縮小手段１０としてスライダー１１、および該スライダー１１が対向するロックケース６の外周、対向面に、次第に対向方向に小径に形成されているテーパ斜面部１９ａ,１９ｂは、外嵌されている圧接管１２のテーパ内面部２０ａ,２０ｂに密接して摺動して行くので、圧接管１２は半径方向Ｒに拡大されることによって銃身１の薬室１ａの内壁に圧接され、ロックケース６は薬室１ａ内に強固に固定される（図３、図４参照）。この際、薬室１ａの内壁への圧接管１２による圧接は、主スプリング８の付勢力により設定される。従って、ロックケース６を棒等を挿入して無闇に薬室１ａから引き抜こうとしても引き抜くことはできない。このため、本人以外の者が薬室１ａ内へ弾を装填しようとしてもロックケース６が薬室１ａ内に固定されていることにより弾の装填は邪魔されて阻止されるというチャンバーロック機能が発揮される。このため、悪戯に引金を引く等して弾が暴発することは、本来的に生ずる余地がない。
【００３４】
また、本実施形態の銃の複合型安全装置が銃の薬室１ａに装填されている場合には、空撃ち目的等で引金を引いて撃鉄にて撃針２の後端を打撃すると、ロックケース６のスライドシャフト収容孔７に隣接してロックケース６の他端側に設けられたニップル収容孔１３内に収容されたニップル１５には、ロックケース６の一端側に臨まれ、露出側の外端にクッション材１４が装着されているので、撃針２がクッション材１４を打撃するため、クッション材１４により衝撃は緩衝される。しかも、ニップル１５は副スプリング２２により付勢されることもあって撃針２の打撃は緩衝される。そして、銃身１の撃針収容部の撃針停止面と撃針２の当り面の損耗を軽減することができる。こうして、スナップキャップ機能が発揮される（図３参照）。
【００３５】
そして、ロックケース６を薬室１ａから抜き取る場合には、前述のように、治具３の先端の係合部４を係合凹部５に係合させることにより、ニップル１５を介してスライドシャフト９を主スプリング８の付勢力に抗して押し込むと、スライドシャフト９の先端部に装着されたスライダー１１が、ロックケース６の他端側の対向面から離れ、圧接管１２は、拡張・圧縮手段１０としてスライダー１１、およびロックケース６の外周、対向面に、次第に対向方向に小径に形成されたテーパ斜面部１９ａ,１９ｂが、圧接管１２のテーパ内面部２０ａ,２０ｂに密接して摺動して行くことにより、半径方向Ｒに縮小される。こうして、治具３にて支持されているロックケース６を、薬室１ａ内から引き抜くことができる（図１参照）。
【００３６】
このように、本実施形態の複合型安全装置は、チャンバーロック機能と、スナップキャップ機能との二つの機能が発揮されるので、特に元折れ式猟銃の保管時等の安全性を確保するのが最適になる。しかも、本実施形態の銃の複合型安全装置は、上記のように、取扱い操作が簡単であり、構造が簡単で製作、組立も容易になり、多量に製作が可能であり、製作コストは安価になる。
【産業上の利用可能性】
【００３７】
本発明は、元折れ式猟銃の保管時等に最適に適用され、弾の薬室への装填を阻止するチャンバーロック機能と、銃の空撃ちによる打撃等の撃針を緩衝するスナップキャップ機能との二つの機能を確実に発揮するようにして信頼性を高め、取扱い操作が簡単であり、構造が簡単で製作、組立も容易に多量に製作を可能であり、製作コストを安価にする用途・機能に適する。
【図面の簡単な説明】
【００３８】
【図１】図１は本発明の銃の複合型安全装置を単発銃に適用した場合の一実施形態を示し、治具にて銃の薬室内に挿入する状態の断面図である。
【図２】図２は同じく使用前の状態を示す断面図である。
【図３】図３は同じく撃針にて緩衝部材を打撃する状態を示す断面図である。
【図４】図４は同じく図３の楕円Ｐ内を示す拡大断面図である。
【図５】図５は同じく側面図である。
【図６】図６は同じく正面図である。
【図７】図７は本発明の銃の複合型安全装置を２連銃に適用した場合の他の変形例を示す正面図である。
【図８】図８は銃身側を示す正面図である。
【符号の説明】
【００３９】
１      銃身
１ａ    薬室
２      撃針
３      治具
４      係合部
５      係合凹部
６      ロックケース
７      スライドシャフト収容孔
８      主スプリング
９      スライドシャフト
１０    拡張・縮小手段
１１    スライダー
１２    圧接管
１３    ニップル収容孔
１４    クッション材
１５    ニップル
１６    エキストラクター
１９ａ  テーパ斜面部
１９ｂ  テーパ斜面部
２０ａ  テーパ内面部
２０ｂ  テーパ内面部
２２    副スプリング
２３    ニップルピン
２４    ストッパ壁
Ａ      チャンバーロック機構部
Ｂ      スナップキャップ機構部
【図１】
2009156506.tif 000003
【図２】
2009156506.tif 000004
【図３】
2009156506.tif 000005
【図４】
2009156506.tif 000006
【図５】
2009156506.tif 000007
【図６】
2009156506.tif 000008
【図７】
2009156506.tif 000009
【図８】
2009156506.tif 000010